(57)【要約】【課題】  遊技者に遊技の進行を促すことにより、遊技者に戸惑いを生じさせることなく遊技の進行を継続させることができ、ホール側においても遊技台の稼働状況が把握できる遊技機を提供する。【解決手段】  ＳＴレバー７０１の操作を検知してリールの回転を開始させ、ＳＴＰボタン７０２の操作を検知してリールの停止制御を行う遊技機であって、制御手段（タイマ監視部７０５とメッセージ出力部７０６）が、リールの回転が開始してから所定時間経過する毎にＳＴＰボタン７０２の操作を促すメッセージを出力することで、リールが自動停止することか無い旨を遊技者に知らしめる。なお、上記したメッセージの出力には、液晶表示装置１０３ｄへの画面表示、ＬＥＤ等表示ランプへの告知、あるいは音声出力による手段が考えられる。【選択図】      図４
2006288810.tif 000002
【特許請求の範囲】
【請求項１】
スタートレバーの操作を検知してリールの回転を開始させ、ストップボタンの操作を検知して前記リールの停止制御を行う遊技機であって、
前記リールの回転が開始してから所定時間経過する毎に前記ストップボタンの操作を促すメッセージを出力する制御手段、
を備えたことを特徴とする遊技機。
【請求項２】
前記制御手段は、
前記スタートレバーが操作されたことを検知してタイマをスタートさせて前記所定時間の監視を行い、前記タイマのタイムアウトを検出したときに、表示画面に前記メッセージを表示することを特徴とする請求項１に記載の遊技機。
【請求項３】
前記制御手段は、
前記スタートレバーが操作されたことを検知してタイマをスタートさせて前記所定時間の監視を行い、前記タイマのタイムアウトを検出したときに、前記メッセージを表示ランプに告知することを特徴とする請求項１に記載の遊技機。
【請求項４】
前記制御手段は、
前記スタートレバーが操作されたことを検知してタイマをスタートさせて前記所定時間の監視を行い、前記タイマのタイムアウトを検出したときに、前記メッセージを音声出力することを特徴とする請求項１に記載の遊技機。
【請求項５】
前記制御手段は、
外部から前記タイマのリセット指示があったときに前記リールを強制停止する制御を実行することを特徴とする請求項１〜４のいずれか１項に記載の遊技機。
【発明の詳細な説明】
【技術分野】
【０００１】
本発明は、スタートレバーの操作を検知してリールの回転を開始させ、ストップボタンの操作を検知してリールの停止制御を行う、遊技機に関する。
【背景技術】
【０００２】
従来、スロットマシンでは、リール回転開始から、例えば、４０秒経過しても停止ボタンの操作がなかった場合、左、中、右の順でリールが自動停止するリール自動停止モードに突入する。一旦、自動停止モードに入ると停止ボタンの入力受付けは禁止され、遊技者がスタートレバーをＯＮ操作することで再度リールが回転を開始して自動停止モードが解除される（例えば、特許文献１参照）。
【０００３】
【特許文献１】特開２００２−１７７４６１号公報
【発明の開示】
【発明が解決しようとする課題】
【０００４】
ところで、上記したリール自動停止状態において入賞させることは法改正により不可能となった。このため、何処で停止させても入賞してしまうような図柄配列の場合は、リールを停止させることができず、従って、回転を継続させることになってしまう。
【０００５】
しかしながらこの場合、無制限に停止しないリールに対して遊技者に戸惑いを生じさせ、混乱をきたすことが考えられる。また、ホール側においても誰も遊技していないのにかかわらず、あたかも誰かが遊技しているように見え、管理上好ましくない。
【０００６】
本発明は上記事情に基づいてなされたものであり、遊技者に遊技の進行を促すことにより、リールの自動停止モードが廃止された場合にも遊技者に戸惑いを生じさせることなく遊技の進行を継続させることができ、ホール側においても遊技台の稼働状況が把握できる遊技機を提供することを目的とする。
【課題を解決するための手段】
【０００７】
上記した課題を解決するために本発明は、スタートレバーの操作を検知してリールの回転を開始させ、ストップボタンの操作を検知して前記リールの停止制御を行う遊技機であって、前記リールの回転が開始してから所定時間経過する毎に前記ストップボタンの操作を促すメッセージを出力する制御手段、を備えたことを特徴とする。
【０００８】
また、本発明において、前記制御手段は、前記スタートレバーが操作されたことを検知してタイマをスタートさせて前記所定時間の監視を行い、前記タイマのタイムアウトを検出したときに、表示画面に前記メッセージを表示することを特徴とする。
【０００９】
また、本発明において、前記制御手段は、前記スタートレバーが操作されたことを検知してタイマをスタートさせて前記所定時間の監視を行い、前記タイマのタイムアウトを検出したときに、前記メッセージに相当する表示ランプに告知することを特徴とする。
【００１０】
また、本発明において、前記制御手段は、前記スタートレバーが操作されたことを検知してタイマをスタートさせて前記所定時間の監視を行い、前記タイマのタイムアウトを検出したときに、前記メッセージを音声出力することを特徴とする。
【００１１】
また、本発明において、前記制御手段は、外部から前記タイマのリセット指示があったときに前記リールを強制停止する制御を実行することを特徴とする。
【発明の効果】
【００１２】
本発明によれば、リールの回転が開始してから所定時間経過する毎にストップボタンの操作を促すメッセージを出力することで、リールが自動停止することか無い旨を遊技者に知らしめることができ、このことにより、遊技者に戸惑いを生じさせることなく遊技の進行を継続させることができ、ホール側においても遊技台の稼働状況が把握できる遊技機を提供することができる。なお、上記したメッセージの出力には、表示装置への画面表示、表示ランプへの告知、あるいは音声出力による手段が考えられる。
【００１３】
また、従来、リール自動停止モードを搭載した遊技機においてはリールを強制停止させることによって図柄が揃う可能性もあったが、本発明によりこれらの可能性はなくなるため、意図的に有利な条件で入賞を獲得するといった不公平を無くする効果も得られる。
【発明を実施するための最良の形態】
【００１４】
以下、本発明の遊技機の実施形態として、遊戯場等に設置されるスロットマシンについて図１ないし図３を参照して説明する。
【００１５】
なお、図１は本スロットマシン１００の外部構造を表した平面図、図２は本スロットマシン１００の内部構造を表した平面図、図３は本スロットマシン１００に設けられている制御システムの構成を表したブロック図である。
【００１６】
図１において、本スロットマシン１００は、遊技者に面するフロントドア１０１と、フロントドア１０１が開閉可能に取り付けられた後述の筐体１０２とを備えて構成されている。
【００１７】
フロントドア１０１は、上部パネル部１０３と中部パネル部１０４と下部パネル部１０５とを備え、全体的に金属製のフレーム（図示略）と硬質プラスチックで成形された前面パネルとで形成されることによって、機械的に強固な構造を有している。
【００１８】
上部パネル部１０３には、上部ランプと呼ばれる演出用ランプ１０３ａと、スピーカが取り付けられた放音部１０３ｂ，１０３ｃと、液晶ディスプレイ等で形成された演出表示装置１０３ｄとが設けられている。  
【００１９】
中部パネル部１０４には、複数個（本実施形態では３個）の回胴回胴Ｒ１，Ｒ２，Ｒ３を備えた回胴回胴装置２００が設けられると共に、回胴回胴装置２００の側方に演出用ランプ１０４ａ，１０４ｂが設けられている。
【００２０】
なお、回胴Ｒ１，Ｒ２，Ｒ３の前方には、透明な硬質プラスチック板で形成された略長方形の透過窓ＷＤが設けられ、これによって回胴回胴装置２００を外部から保護すると共に、遊技者が透過窓ＷＤを介して回胴回胴Ｒ１，Ｒ２，Ｒ３を見ることが可能となっている。  
【００２１】
更に、中部パネル部１０４の下端には遊技者が操作するための操作部１０４ｃが設けられ、当該操作部１０４ｃには、遊技用メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴回胴Ｒ１，Ｒ２，Ｒ３を個別に停止させるための３個のストップボタンＳＰ１，ＳＰ２，ＳＰ３が設けられている。
【００２２】
下部パネル部１０５には、本スロットマシン１００のゲーム内容に関連した画像等（図示略）が描かれており、遊技者の獲得したメダルを払い出すための排出口１０５ａ及び受皿１０５ｂと、スピーカが取り付けられた放音部１０５ｃが設けられている。
【００２３】
次に、図２を参照して、フロントドア１０１の裏面構造と、筐体１０２の内部構造を概説する。なお、図２はフロントドア１０１を開錠して筐体１０２から開いた状態を表している。
【００２４】
同図において、フロントドア１０１の裏面上部に、上述の放音部１０３ｂ，１０３ｃを構成するスピーカＳＲ，ＳＬが設けられ、スピーカＳＲ，ＳＬの間に演出表示装置１０３ｄが設けられると共に、演出表示装置１０３ｄの裏面側にサブ制御基板３００が取り付けられている。
【００２５】
演出表示装置１０３ｄ及びサブ制御基板３００の下方には、上述の透過窓ＷＤと中部パネル部１０４のパネル面とが形成された略長方形の枠体１０４ｄが取り付けられている。
【００２６】
枠体１０４ｄの下方には、メダル投入部ＭＤより投入される投入物を正規の遊技用メダルか異物か判別して振り分ける振分機構Ｇ０と、振分機構Ｇ０で振り分けられた遊技用メダルを筐体１０２側に設けられているホッパ装置ＨＰへ案内するガイド部材Ｇ１と、振分機構Ｇ０で振り分けられた異物を排出口１０５ａへ案内して排出するガイド部材Ｇ２と、ホッパ装置ＨＰから出力される払い出し用のメダルを排出口１０５ａへ案内して出力するガイド部材Ｇ３が設けられ、更に排出口１０５ａの近傍に、スピーカＳＷが放音部１０５ｃに対応させて取り付けられている。
【００２７】
更に、上述の枠体１０４ｄと振分機構Ｇ０との間の領域に長尺状の中央表示基板４００が取り付けられ、当該中央表示基板４００の裏面側の一端に、設定ボタンＣＳと、数字の０から６までのセグメント表示を行う発光ダイオードで形成された設定表示素子ＣＴが設けられている。
【００２８】
筐体１０２内には、主電源装置ＰＷＵと、ホッパ装置ＨＰから溢れた遊技用メダルを収容するための補助貯留部ＳＨＰと、上述の透過窓ＷＤに対向する回胴回胴Ｒ１，Ｒ２，Ｒ３を備えた回胴回胴装置２００が設けられる他、主電源装置ＰＷＵの側面に電源装置基板５００、回胴回胴装置２００の上端に回胴装置基板６００、回胴回胴装置２００の上方に主基板７００、筐体１０２の内壁の一端に外部集中端子装置としての外部集中端子基板８００が夫々取り付けられている。
【００２９】
ここで、上述の主基板７００と、サブ制御基板３００、回胴装置基板６００、中央表示基板４００、電源装置基板５００及び外部集中端子基板８００は、何れも導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、特に、主基板７００とサブ制御基板３００と外部集中端子基板８００は、夫々硬質プラスチックの収納ケース内に個別に収納されたユニット構造となっている。
【００３０】
更に、図３のブロック図を参照して制御システムの構成を述べると、主基板７００は、スロットマシン１００の動作全体を管理するシステムプログラム及びスロットマシンゲーム用の実行プログラムが予め記憶されている半導体メモリと、これらのプログラムを実行するＣＰＵとを実装し、ＣＰＵが持つ入力ポート及び出力ポートと、他の基板３００、６００、４００、５００、８００との間が配線ケーブルによって配線接続されている。
【００３１】
また、演出用スピーカＳＲ，ＳＬ，ＳＷと演出用ランプ１０３ａ，１０４ａ，１０４ｂと演出表示装置１０３ｄが配線ケーブルを介してサブ基板３００に配線接続され、主基板７００中の上記マイクロプロセッサから供給される演出制御信号に従って、サブ基板３００に設けられている電気回路がこれら演出用スピーカＳＲ，ＳＬ，ＳＷと演出用ランプ１０３ａ，１０４ａ，１０４ｂと演出表示装置１０３ｄを駆動することにより、遊技者の視覚と聴覚に訴える演出を行う。
【００３２】
回胴装置基板６００は、電動モータによって回転駆動される回胴回胴Ｒ１，Ｒ２，Ｒ３を備えた回胴回胴装置２００が配線接続されており、主基板７００中のＣＰＵから供給される回胴制御信号に従って、上述の電動モータを制御することにより、回胴回胴Ｒ１，Ｒ２，Ｒ３の回転と制動及び停止の制御を行う。
【００３３】
中央表示基板４００には、振分機構Ｇ０、ベットボタンＢ１，Ｂ２，Ｂ３、スタートレバーＳＴ、ストップボタンＳＰ１，ＳＰ２，ＳＰ３、設定表示素子ＣＴ、及び設定ボタンＣＳが配線接続されており、振分機構Ｇ０から出力されるメダル検出信号と、ベットボタンＢ１，Ｂ２，Ｂ３とスタートレバーＳＴ及びストップボタンＳＰ１，ＳＰ２，ＳＰ３から夫々出力されるオンオフ信号を主基板７００中の上記マイクロプロセッサへ転送すると共に、マイクロプロセッサから供給されるセグメント表示信号に基づいて、設定表示素子ＣＴに０から６までの数字を表示させる。
【００３４】
電源基板５００には、リセットスイッチＲＳ、設定ボタンＢＯ、電源スイッチＢＱ、ホッパ装置ＨＰが配線接続され、設定ボタンＢＯと電源スイッチＢＱから夫々出力されるオンオフ信号を主基板７００中の上記ＣＰＵへ転送する。更に、電源基板５００には、発生される各種電源電圧をホッパ装置ＨＰその他の各所に配電する配電回路が形成されており、かかる配電回路からスロットマシン１００の動作に必要な電源供給が行われている。
【００３５】
外部集中端子基板８００は、主基板７００中の上記ＣＰＵから出力される信号Ｓ１〜Ｓ６を並列入力することが可能な複数個の入力端子Ｐ１〜Ｐ６と、当該信号Ｓ１〜Ｓ６を管理用電子装置としてのホールコンピュータ側へ並列転送することが可能な複数個の出力端子Ｑ１〜Ｑ６とを備える他、ホールコンピュータ側から供給される信号ＩＮを入力する入力端子Ｐ７及び上記ＣＰＵへ転送する出力端子Ｑ７を備えて構成され、更に信号Ｓ１〜Ｓ６及びＩＮを一方向にのみ転送する信号転送回路（図示せず）が設けられている。
【００３６】
すなわち、上述の出力端子Ｑ１〜Ｑ６及び入力端子Ｐ１と、ホールコンピュータに設けられている入出力インターフェースとの間を例えばフラットケーブル等の配線ケーブルで接続することによって、主基板７００からホールコンピュータ側へ信号Ｓ１〜Ｓ６を転送し、また、ホールコンピュータから主基板７００側へ信号ＩＮを転送することが可能となっている。
【００３７】
なお、信号Ｓ１は、メダル投入部ＭＤからホッパ装置ＨＰへ遊技メダルが１枚投入される毎に出力される「遊技メダル投入信号」、信号Ｓ２は、ホッパ装置ＨＰから排出口１０５ａへ遊技メダルが１枚払い出される毎に出力される「遊技メダル払出信号」、信号Ｓ３は、レギュラーボーナス（ＲＢ）と呼ばれる特別役に入賞したときに出力される「役物連続作動装置本当たり信号」、信号Ｓ４は、ビッグボーナス（ＢＢ）と呼ばれるレギュラーボーナス（ＲＢ）よりも大きな特別役に入賞したときに出力される「役物連続作動増加装置本当たり信号」、信号Ｓ５は、いわゆる出玉率の設定操作がなされたことを示す「設定操作信号」である。
【００３８】
また、ホールコンピュータ側から供給される信号ＩＮは、いわゆる打止め解除を主基板７００中のマイクロコンピュータに対して指令するための「外部打止め解除信号」である。
【００３９】
次に、本発明で課題とする、遊技者に遊技の進行を促すことにより、遊技者に戸惑いを生じさせることなく遊技の進行を継続させることができ、ホール側においても遊技台の稼働状況が把握できる遊技機の構成、動作について、図４、図５を参照しながら説明する。
【００４０】
図４は、本発明実施形態に係わる遊技機の制御システム内部構成を機能展開して示したブロック図である。ここでは、本発明と関係するブロックのみ抽出して示してあり、いずれの構成も図３に示す主基板７００に実装される。
【００４１】
本発明の遊技機は、リールの回転が開始してから所定時間経過する毎にＳＴＰボタンの操作を促すメッセージを出力する制御手段として機能し、具体的には、内部抽選処理部７０３と、リール制御部７０４と、タイマ監視部７０５と、メッセージ出力部７０６と、大当たり検出部７０７と、入賞払出制御部７０８とで構成される。また、ＳＴレバー７０１は図１に示すＳＴ、ＳＴＰボタン７０２は、図１に示すＳＰ１、ＳＰ２、ＳＰ３と同じである。
【００４２】
上記した内部抽選処理部７０３は、遊技者によるＳＴレバー７０１の操作を検知することにより起動され役抽選処理を行う機能を持つ。また、リール制御部７０４は、同じくＳＴレバー７０１の操作を検知してリールの回転を開始させ、ＳＴＰボタン７０２の操作を検出してリールを停止制御する機能を持つ。
【００４３】
また、タイマ監視部７０５は、ＳＴレバー７０１の操作を検知して内蔵タイマをスタートさせ、タイムアウトを検出してメッセージ出力部７０６を起動する機能を持つ。メッセージ出力部７０６は、リールの回転が開始してから所定時間（Ｔ１、Ｔ２、…Ｔｎ）経過する毎にＳＴＰボタン７０２の操作を促すメッセージを出力する機能を持つ。メッセージ出力の具体的な手段として、演出表示装置（図１に示す液晶ディスプレイ１０３ｄ）への画面表示、専用に設けられるＬＥＤ（Light Emitted Diode）等表示ランプへの告知、音声出力等が考えられる。
【００４４】
上記したタイマ監視部７０５と、メッセージ出力部７０６が協働して動作することで、請求項１に示す、「リールの回転が開始してから所定時間経過する毎にＳＴＰボタンの操作を促すメッセージを出力する制御手段」を実現することができる。
【００４５】
なお、大当たり検出部７０７は、内部抽選処理部７０３により役が抽選され、かつ、遊技者がＳＴＰボタン７０２を操作して入賞図柄が有効ライン上に停止したときに大当たりとして判定し、入賞払出し制御部７０８を起動する。入賞払出し制御部７０８は当選役に応じてあらかじめ規定された枚数のメダルを払い出すために図２に示すホッパ装置ＨＰを制御する。
【００４６】
以下、本発明実施形態に係わる遊技機の動作について図５に示すフローチャートを参照しながら説明する。
遊技者は、まず、ＳＴレバー７０１を操作することにより遊技を開始する。ここでＳＴレバー７０１が操作（ＯＮ）されたことを検知した遊技機は（Ｓ５１）、内部抽選処理部７０３、およびリール制御部７０４を起動し、それぞれ内部抽選処理の実行、リール回転の開始を制御する（Ｓ５２）。更にタイマ監視部７０５を起動して内蔵タイマによる計時をスタートさせる（Ｓ５３）。ここでは、タイムアウトの条件として内蔵タイマに監視時間である、初期値Ｔ１、Ｔ２、Ｔｎを設定しておき、それぞれタイムアウトする毎にメーセージ出力部７０６に対して監視信号を生成出力する仕様にしてある。また、メッセージ出力部７０６は、例えば、Ｔ１（１分）経過したとき、「ＳＴＰボタンを操作してください」、Ｔ２（５分）経過したとき、「５分経過しました、ＳＴＰボタンを操作してください」のように、遊技者に対し、リール回転開始後の経過時間、およびＳＴＰボタンの操作を促すコメントを演出表示装置（液晶ディスプレイ１０３ｄ）に表示する仕組みになっている。
【００４７】
すなわち、ステップＳ５４において、内蔵タイマによる計時時間と監視時間Ｔ１とが比較される。ここで、タイマ監視部７０５が監視時間Ｔ１のタイムアウトを検出したときにメッセージ出力部７０６に監視信号を出力し、このことにより、メッセージ出力部７０６は、メッセージとして「ＳＴＰボタンを押してください」を生成し、演出表示装置１０３ｄに表示のために出力する（Ｓ５７）。
【００４８】
また、タイマ監視部７０５が監視時間Ｔ１を経過して監視時間Ｔ２のタイムアウトを検出したときにメッセージ出力部７０６に監視信号を出力し（Ｓ５５）、このことにより、メッセージ出力部７０６は、メッセージとして「５分経過しました。ＳＴＰボタンを押してください」を生成し、演出表示装置１０３ｄに表示のために出力する（Ｓ５７）。更に、タイマ監視部７０５が監視時間Ｔ１、Ｔ２を経過して監視時間Ｔｎのタイムアウトを検出したときにメッセージ出力部７０６に監視信号を出力し（Ｓ５６）、このことにより、メッセージ出力部７０６は、メッセージとして「ｎ分経過しました。ＳＴＰボタンを押してください」を生成し、演出表示装置１０３ｄに表示のために出力する（Ｓ５７）。
【００４９】
なお、上記のいずれのタイミング（Ｓ５４〜Ｓ５６）によってもＳＴＰボタン７０１の操作が検知されなかった場合、ホール係員によるリセットの操作（例えば、電源ＯＦＦ）が実行され、このことにより、リールの強制停止処理が実行される（Ｓ５８）。
【００５０】
一方、上記したいずれかのタイミング（Ｓ５４〜Ｓ５６）において遊技者によるＳＴＰボタン７０２の操作が検知された場合（Ｓ５９）、リール制御部７０４は、リールの停止制御を実行し（Ｓ６０）、ここで、内部抽選処理部７０３で役抽選された結果に従う引き込み、あるいは蹴飛ばし制御が行われる。続いて大当たり検出部７０７において入賞チェックが行われ（Ｓ６１）、有効ライン上に抽選役に基づく図柄が停止した場合、大当たりとなって入賞払出し制御部７０８による払出し制御が実行される（Ｓ６２）。
【００５１】
なお、上記した本発明実施形態によれば、メッセージ出力部７０６は、生成されたメッセージを演出表示装置１０３ｄに画面表示するものとして説明したが、他に、ＬＥＤ等表示ランプへの告知、あるいは音声出力するものであってもよく、この場合、同様の効果が得られる。
【００５２】
以上説明のように本発明は、ＳＴレバー７０１の操作を検知してリールの回転を開始させ、ＳＴＰボタン７０２の操作を検知してリールの停止制御を行う遊技機であって、制御手段（タイマ監視部７０５とメッセージ出力部７０６）が、リールの回転が開始してから所定時間経過する毎にＳＴＰボタン７０２の操作を促すメッセージを出力することで、リールが自動停止することか無い旨を遊技者に知らしめるものであり、このことにより、遊技者に戸惑いを生じさせることなく遊技の進行を継続させることができ、ホール側においても遊技台の稼働状況が把握できる遊技機を提供することができる。なお、上記したメッセージの出力には、液晶表示装置１０３ｄへの画面表示、ＬＥＤ等表示ランプへの告知、あるいは音声出力による手段が考えられる。
【００５３】
また、従来、リール自動停止モードを搭載した遊技機においてはリールを強制停止させることによって図柄が揃う可能性もあったが、本発明によりこれらの可能性はなくなるため、意図的に有利な条件で入賞を獲得するといった不公平を無くする効果も得られる。
【図面の簡単な説明】
【００５４】
【図１】本発明実施形態に係わる遊技機の外部構造を表した平面図である。
【図２】本発明実施形態に係わる遊技機の内部構造を表した平面図である。
【図３】本発明実施形態に係わる遊技機に設けられている制御システムの構成を表したブロック図である。
【図４】本発明実施形態に係わる遊技機の制御システムの内部構成を機能展開して示したブロック図である。
【図５】本発明実施形態に係わる動作を説明するために引用したフローチャートである。
【符号の説明】
【００５５】
７００…主基板、７０１…ＳＴレバー、７０２…ＳＴＰボタン、７０３…内部抽選処理部、７０４…リール制御部、７０５…タイマ監視部、７０６…メッセージ出力部、７０７…大当たり検出部、７０８…入賞払出制御部
【図１】
2006288810.tif 000003
【図２】
2006288810.tif 000004
【図３】
2006288810.tif 000005
【図４】
2006288810.tif 000006
【図５】
2006288810.tif 000007